(57)【要約】スキーの設計は、短い距離の運搬においてきわめて実用的でない。本発明は、スキーの困難な運搬を補助するスキー装置の装備品である。スキーの短い距離の運搬の例は、スキーヤがホテルからスキー・リフトまで行く時である。この種の運搬は困難である、つまり。スキーは、手で持つにも、肩越しまたは腕越しで持つにも重く、持ち運ぶ人に近すぎると他の人に危険である。本発明は、実用的で、かつ、他の人々への危険がなくスキーが輸送されることを確実にするスキー・キャリアであり、主にコードの駆動装置に取り付けられるバッグ／ポケットから構成され、スキー用品／ズボン、ウエスト・バッグまたは独立したベルトにおいてウエスト周辺でベルト、可能であればすでに存在するベルトにおいて配置される。その後、運搬する人はスキーの運搬に実用的なツールを有する。【選択図】図なし【特許請求の範囲】
【請求項１】
底部に排水孔を有するバッグ／ポケットからなり、調節可能なベルトが紐によって取り付けられているスキー・キャリアであって、前記紐（３）が、外に繰り出し、自動的に中に巻き取られる二重の紐であることにおいて特徴付けられるスキー・キャリア。
【発明の詳細な説明】
【技術分野】
【０００１】
世界中の多くの人々は、年に一度またはそれ以上休暇にスキーをする。スキーをしない場合、物理的に手で運ばれるスキーは、持ち歩くのが困難であり、また重く、他の人々に危険である。本発明は、スキー運搬を補助するスキー装備に関する。
【背景技術】
【０００２】
典型的なスキーの運搬は、スキーヤがホテルからスキーのリフトまで歩く時である。この種の運搬は問題点を含む、つまり、スキーは、手で持つにも、肩越しまたは腕越しで持つにも重いということである。
【０００３】
それは、そのようにスキーを運んでいる人の近くにいる他の人々への特定の危険を含む。
【０００４】
本発明は、スキーが他の人々への危険がなく運搬されることを確実にするスキー・キャリアである。
【０００５】
スキー・キャリアは基本的に、コードの駆動装置、可能であればズボン／スキー用品においてすでに存在するベルト、ウエスト・バッグまたは独立したベルトによってウエスト周辺でベルトに取り付けられるバッグ／ポケットからなる。
その後、スキーは、スキー・キャリアに配置され、スキーをある場所から他の場所まで運搬する実用的な道具を有する可能性がある。
【０００６】
他の発明がこの領域においてなされるが、どれも明らかには広範囲にわたる人気を得なかった。
【０００７】
フランス特許Ｎｏ．２５０８８０８は、本発明に類似した特性を有するが、利用における問題点において本質的に異なる。スナップ・フックにより、ストラップは、ウエスト周辺で巻かれるベルトの付加物に取り付けられ、それによりストラップは、ベルトからゆるくかつ垂直に配置される。ストラップの対向端部において、スキーが載置されるバッグ／ポケットもまた、スナップ・フックにより取り付けられる。その手順はわずらわしく、本発明と同じ機能を有しない。
【０００８】
米国特許Ｎｏ．５５７５４１２は、スキーをそれに結ぶ目的のショルダ・ストラップを含む。それにより、スキーは一緒に保持され、その後運搬されることができる。互いの上部および下部の２つのストラップは、スキーおよびスキー・ポールに結びつけられ、これらの間にストラップは取り付けられるので、それは肩周辺で担持されることができる。相当に精巧かつ時間がかかる手順が運搬の前に実行されなければならず、この装置を身に着けた人々は、この面倒な手順を省略するのが快適になるため好んで省略するようになり、従来通りにスキーを持ち歩く可能性がある。
【０００９】
米国特許Ｎｏ．２２２４５６８は、根本的に上述した発明に類似しているが、それはさらにバッグを備えている。
【００１０】
日本特許Ｎｏ．０８‐１１２３９３は、その目的がスキーの容易かつ実用的な個人的な運搬であるような発明に関する。発明は、上述のスキー運搬の際の問題を解決する目的で客観的に準備されるベルトである。それは、各々のスキーのための２つのホルダを備えている。
【００１１】
ベルトがウエスト周辺で固定される場合、各々のスキーを手に取り、各々のホルダにおいてそれを操縦し、そこで、未確定の材料で上部にループを作成する、つまり、一種の（革の）紐は、互いに隣りに配置される２つの孔を通じて導かれる。スキーは、運んでいる人に対して後方でそれぞれのループを通じて導かれ、ベルトのようにスキー周辺でそれらを固定することによって、２つのストラップによって取り付けられホルダ上に下げられる。
【００１２】
欠点は、高価であり、この単一の目的のためにしか使用できない特別に設計されたベルトを買わなければならないことである。加えて、スキーをベルトに固定する手順は、比較的複雑である。
【００１３】
前述の日本特許Ｎｏ．０８‐１１２３９３での不都合は、この新規な発明では全く現れず、さらに、新規な発明には大きな利点を示す新規な特徴がある。
【発明の開示】
【００１４】
上記したように、スキー・キャリアは、スキー・ズボン、ウエスト・バッグまたは完全に独立したベルトにおいてそれを持ち運ぶ人のウエスト周辺で巻かれるベルト、可能であればすでに存在するベルトに取り付けられるバッグ／ポケットから構成されている。スキー・キャリアが使われる場合、バッグ／ポケットは、コードの駆動装置によってベルトから１０から２０ｃｍ外へ引かれ、スキーの後端は、バッグ／ポケットに配置される。スキーの重量により、地面からほぼ３０‐４０ｃｍの高さに自動的にスキーは引かれ、ここでコードの駆動装置は自動的に止まる。
【００１５】
紐は、外へ出るおよび中に入る二重の紐のリールである。
【００１６】
スキーは、体の右側または左側のどちらにも配置されるので、歩く場合、スキーは行く手を塞がない。
【００１７】
スキー・ポールは、ポール上にストラップによって、スキー上に都合よく配置される。
【００１８】
スキーおよびポールは次に、安全に手によってのみ制御される。
【００１９】
スキーおよびポールの重量は重いと感じられず、重力の中心は、従来の方法でスキーを持ち運ぶ場合に一般的に経験されるように常に移動していない。
【００２０】
スキーは一緒に保たれ、制御下にあり、すぐ近くの人々にスキーがぶつかる危険がない。
【００２１】
バッグ／ポケットの底部で、水を漏らすのを確実にする小開口が作成される。
【００２２】
スキーの輸送が完了した場合、それらは、バッグ／ポケットの中から持ち上げられ、バッグ／ポケットはベルトまで自動的に摺動する。
【発明を実施するための最良の形態】
【００２３】
図１において、発明の個別的な部分が示される。実際には、どのようなベルト（１）でも、目的のために使われることができる。
【００２４】
コードの駆動装置（２）が、従来のコードの駆動装置として作用する、つまり、同じ原則で、それは例えば巻尺テープにおいて使われる。
【００２５】
紐は、スキーが地面からほぼ３０から４０ｃｍ上でバッグ／ポケットにおいて配置される場合、それらの先端位置に移動させられ、使われた後、バッグ／ポケット（４）を含む紐（３）は、元々の位置へ自動的に巻き取られる。
【００２６】
紐は、外へ出るおよび中に入る二重の紐のリールである。
【００２７】
図２は、人のウエスト周辺で巻かれるベルト（１）上のバッグ／ポケット（４）を示す。バッグ／ポケットは、主になめらかな合成材料でできていて、この発明のほんの一部分ではこれは低重量であり、同時に、それは、損害を受けるまたは損耗および裂傷によって破壊される危険を有さずに一対の重いスキー重量に容易に耐えることができる固体の材料と同じく実用的な小さいサイズを有する。
【００２８】
スキーがバッグ／ポケット（４）において配置される方法は、図３において説明される。バッグ／ポケット（４）は、一緒に容易に配置されるスキーの対の後端は、バッグ／ポケット（４）において安定性のある位置を発見するように設計される。バッグ／ポケットの開口は、多数のスキーを適合させるように設計される。装着の際、一方の手でバッグ／ポケット（４）を保持し、もう一方の手でとても容易にバッグ／ポケット（４）にスキー（５）を入れる。
【００２９】
図４は、機能において本発明を図示する。スキー（５）はスキー・ポケット （４）に都合よく配置され、スキー（５）の重量により、コードの駆動装置（２）における紐（３）を下の位置−地面からほぼ３０‐４０ｃｍに押し、スキーは、人体の左または右側のいずれにでも配置されるので、歩く場合、行く手を塞がない。
【００３０】
最後に図示されるのは、スキー・ポール（６）を最も実用的な方法で配置する方法である。スキー・ポール（６）は、ストラップによって都合よくスキー（５）の上に配置されることができる。
【００３１】
スキー（５）およびスキー・ポール（６）は、この単純かつきわめて実用的な方法で容易に輸送される。持ち運ぶ人は、スキー上で良好な握りを有し、スキーは軽く感じられる、つまり、主に紐における牽引からの重さである重量を感じる。
【図面の簡単な説明】
【００３２】
【図１】スキー・キャリアおよびベルトのみ
【図２】人が装着したスキー・キャリア
【図３】スキー・キャリアに配置されたスキー
【図４】スキー・キャリアにおけるスキーおよびポール
【符号の説明】
【００３３】
１. ベルト
２. コードの駆動装置
３. 紐
４. バッグ／ポケット
５．スキー
６．スキー・ポール
【図１】
2007532212.tif 000002
【図２】
2007532212.tif 000003
【図３】
2007532212.tif 000004
【図４】
2007532212.tif 000005
【国際調査報告】
2007532212.tif 000006
2007532212.tif 000007
2007532212.tif 000008